(57)【特許請求の範囲】
【請求項１】
放射線を検出する放射線検出器と、
前記放射線検出器の検出信号に基づく現在の測定値に応じてスライド運動する現在値マーカを表示手段に表示する制御を実行するとともに、過去から現在へ至る測定値の変化の方向及び変化の程度を示す履歴マーカを前記現在値マーカに付随させて前記表示手段に表示する制御を実行する表示制御手段と、
を含むことを特徴とする放射線測定装置。
【請求項２】
請求項１に記載の放射線測定装置において、
前記表示制御手段は、前記測定値の変化の方向に従って前記現在値マーカの一方側及び他方側のうちの一方又は両方に、前記履歴マーカを表示する制御を実行する、
ことを特徴とする放射線測定装置。
【請求項３】
請求項２に記載の放射線測定装置において、
前記表示制御手段は、過去の測定値に対して現在の測定値が増加した場合、前記現在値マーカよりも測定値が小さい側の領域に前記履歴マーカを表示する制御を実行し、過去の測定値に対して現在の測定値が減少した場合、前記現在値マーカよりも測定値が大きい側の領域に前記履歴マーカを表示する制御を実行する、
ことを特徴とする放射線測定装置。
【請求項４】
請求項２に記載の放射線測定装置において、
前記表示制御手段は、測定値が上下に変動する場合、前記現在値マーカよりも測定値が小さい側の領域及び前記現在値マーカよりも測定値が大きい側の領域の両方に、前記履歴マーカを表示する制御を実行する、
ことを特徴とする放射線測定装置。
【請求項５】
請求項１から請求項４のいずれか一項に記載の放射線測定装置において、
前記現在値マーカの表示位置と前記履歴マーカの表示位置との間に隙間が形成されている、
ことを特徴とする放射線測定装置。
【請求項６】
請求項１から請求項５のいずれか一項に記載の放射線測定装置において、
前記表示制御手段は、過去の測定値と現在の測定値との差が所定値以上となる場合に、前記履歴マーカを前記表示手段に表示する制御を実行する、
ことを特徴とする放射線測定装置。
【請求項７】
請求項１から請求項６のいずれか一項に記載の放射線測定装置において、
前記現在値マーカは、前記スライド運動における前記現在値マーカの進行方向に対して垂直方向に延びるライン状のマーカであり、
前記履歴マーカは、前記スライド運動における前記現在値マーカの進行方向に対して垂直方向に並んだ複数の水平ラインである、
ことを特徴とする放射線測定装置。
【発明の詳細な説明】
【技術分野】
【０００１】
本発明は放射線測定装置に関し、特に放射線測定値の表示技術に関する。
【背景技術】
【０００２】
放射線測定装置としては、サーベイメータ、体表面モニタ、モニタリングポスト等が知られている。この放射線測定装置は、放射線を検出する放射線検出器と、放射線の測定値を表示する表示器を含む本体ユニットと、を備えているものがある（特許文献１参照）。測定値を表示する技術として、従来から、針によって瞬間測定値を指し示すアナログメータが採用されている。アナログメータにおいては、測定値に応じて目盛上で針が移動し、その針の動きによって、測定値の変動を感覚的に把握することができる。例えば、針の振れ幅を観察することによって、放射線量が安定しているか否かを感覚的に把握することができる。
【先行技術文献】
【特許文献】
【０００３】
【特許文献１】特開２０１４−１５３３０６号公報
【発明の概要】
【発明が解決しようとする課題】
【０００４】
ところで、測定値を表示する方式として、瞬間測定値をデジタル値で表現するデジタル表示方式が採用される場合がある。この場合、そのデジタル値自体から、アナログ表示方式と同様に測定値の変動を感覚的に把握することは困難である。つまり、アナログ表示方式であれば、針の動き（振れ幅）を観察することによって、測定値の変動の大小を感覚的に把握することは比較的容易ではあるが、数値そのものが表示されるデジタル表示方式においては、そのような変動を感覚的に把握することは難しい。
【０００５】
本発明の目的は、放射線測定装置において、放射線測定値の変動を容易に把握できるようにすることである。
【課題を解決するための手段】
【０００６】
本発明に係る放射線測定値装置は、放射線を検出する放射線検出器と、前記放射線検出器の検出信号に基づく現在の測定値に応じてスライド運動する現在値マーカを表示手段に表示する制御を実行するとともに、過去から現在へ至る測定値の変化の方向及び変化の程度を示す履歴マーカを前記現在値マーカに付随させて前記表示手段に表示する制御を実行する表示制御手段と、を含むことを特徴とする。
【０００７】
上記の構成によると、過去から現在へ至る測定値の変化の方向及び変化の程度が示される。変化の方向は、例えば、測定値が増加している方向や減少している方向である。変化の程度は、例えば測定値の変化量に対応する。測定者は、履歴マーカを参照することにより、測定値の変化の方向（測定値が増加しているのか、減少しているのか）を把握することができ、変化の程度（増加量や減少量）を把握することができる。これにより、測定値の変動を感覚的に把握することができる。例えば、測定値が安定しているか否かを感覚的に把握することが可能となる。
【０００８】
望ましくは、前記表示制御手段は、前記測定値の変化の方向に従って前記現在値マーカの一方側及び他方側のうちの一方又は両方に、前記履歴マーカを表示する制御を実行する。これにより、測定値の変化方向を感覚的に把握することができる。
【０００９】
望ましくは、前記表示制御手段は、過去の測定値に対して現在の測定値が増加した場合、前記現在値マーカよりも測定値が小さい側の領域に前記履歴マーカを表示する制御を実行し、過去の測定値に対して現在の測定値が減少した場合、前記現在値マーカよりも測定値が大きい側の領域に前記履歴マーカを表示する制御を実行する。これにより、測定値が増加しているのか減少しているのかを感覚的に把握することができる。
【００１０】
望ましくは、前記表示制御手段は、測定値が上下に変動する場合、前記現在値マーカよりも測定値が小さい側の領域及び前記現在値マーカよりも測定値が大きい側の領域の両方に、前記履歴マーカを表示する制御を実行する。これにより、測定値が不安定であることを感覚的に把握することができる。不安定な状態は、例えば測定値が増減を繰り返している状態である。
【００１１】
望ましくは、前記現在値マーカの表示位置と前記履歴マーカの表示位置との間に隙間が形成されている。これにより、現在値マーカの視認性が向上し得る。
【００１２】
望ましくは、前記表示制御手段は、過去の測定値と現在の測定値との差が所定値以上となる場合に、前記履歴マーカを前記表示手段に表示する制御を実行する。
【００１３】
望ましくは、前記現在値マーカは、垂直方向に延びるライン状のマーカであり、前記履歴マーカは、垂直方向に並んだ複数の水平ラインである。
【発明の効果】
【００１４】
本発明によると、放射線測定装置において、放射線測定値の変動を容易に把握することが可能となる。
【図面の簡単な説明】
【００１５】
【図１】本発明の実施形態に係る放射線測定装置の斜視図である。
【図２】本実施形態に係る放射線測定装置の構成を示すブロック図である。
【図３】表示部の表示例を示す図である。
【図４】各時間の放射線量を示す図である。
【図５】現在値マーカと履歴マーカとを示す図である。
【図６】現在値マーカと履歴マーカとを示す図である。
【図７】現在値マーカと履歴マーカとを示す図である。
【図８】放射線量とマーカの表示形態との関係を示す図である。
【図９】現在値マーカと履歴マーカとを示す図である。
【図１０】レンジが変化するときの表示例を示す図である。
【図１１】レンジが変化するときの表示例を示す図である。
【図１２】測定値とマーカの表示例を示す図である。
【図１３】測定値とマーカの表示例を示す図である。
【図１４】測定値とマーカの表示例を示す図である。
【図１５】測定値とマーカの表示例を示す図である。
【図１６】変形例に係るマーカを示す図である。
【発明を実施するための形態】
【００１６】
図１には、本発明の実施形態に係る放射線測定装置の一例が示されている。放射線測定装置としてのサーベイメータ１０は、検出ユニット（検出プローブ）１２と本体ユニット２０とを含む。検出ユニット１２と本体ユニット２０とは、有線通信方式又は無線通信方式によって接続される。
【００１７】
検出ユニット１２は、放射線を検出するプローブヘッド１４と、測定者によって握られる部分である握り部１６と、を有している。本体ユニット２０は、タッチパネルモニタ（表示パネル）２２と連結部２４と各種の操作ボタンとを有している。タッチパネルモニタ２２には、放射線の測定値が表示される。例えば、タッチパネルモニタ２２は液晶表示器及びタッチセンサを備え、入力部及び表示部を兼ねたユーザインターフェースとして機能する。測定者は、タッチパネルモニタ２２に表示されたアイコン群を利用して各種の入力を行ってもよい。もちろん、タッチパネルモニタ２２の代わりに、タッチセンサ無しの表示部が本体ユニット２０に設けられていてもよい。検出ユニット１２と本体ユニット２０とは、連結部２４を介して連結されることにより、一体化可能となっている。
【００１８】
図２には、サーベイメータ１０のブロック図が示されている。検出ユニット１２は、シンチレーション検出器又はＧＭ管等の放射線検出器を内蔵している。図２には、シンチレーション検出器の構成例が示されている。シンチレータ３０及び光電子増倍管３２によって放射線が検出される。検出信号はアンプ３４によって増幅され、波形整形処理や波高弁別処理が行われて、放射線の検出回数がカウンタ３６で計数される。そして、演算部３８によって、放射線の計数率（ＣＭＰやＣＰＳ）や線量率等が演算される。その演算結果である測定値のデータが、通信部４０を介して本体ユニット２０に送られる。検出ユニット１２は、例えばＣＰＵとメモリを有しており、カウンタ３６及び演算部３８の機能は、例えばＣＰＵがプログラムを実行することにより実現される。
【００１９】
本体ユニット２０は、ユーザインターフェースとして機能するタッチパネルモニタ２２、通信部４２、制御部４４及びメモリ４６を含む。タッチパネルモニタ２２においては、測定値等を表示する表示部２２ａと、サーベイメータ１０の操作を行うための入力部２２ｂと、が一体化されている。もちろん、タッチパネルモニタが採用されず、表示部２２ａと入力部２２ｂとが別々に設けられていてもよい。通信部４２は、検出ユニット１２から送られてきた測定値のデータを受信する。制御部４４は、本体ユニット２０の動作を制御する。例えば、制御部４４は、測定値を所定の表示形式でタッチパネルモニタ２２に表示させる。本実施形態では、制御部４４は、デジタル値で表現された測定値をタッチパネルモニタ２２に表示させる。また、制御部４４は、現在の測定値（瞬間測定値）に応じてスライド運動する現在値マーカと、過去の測定値と現在の測定値との関係を示す履歴マーカと、をタッチパネルモニタ２２に表示させる。履歴マーカは、過去から現在へ至る測定値の変化の方向と変化の程度とを示すマーカである。これらのマーカについては、後で詳しく説明する。また、制御部４４は、各種の操作ボタンの画像をタッチパネルモニタ２２に表示させてもよい。この場合、測定者は、タッチパネルモニタ２２に表示された操作ボタンをタッチ操作することにより、各種処理の実行指示を与えることができる。メモリ４６には、検出ユニット１２から送られてきた測定値のデータが記憶される。本体ユニット２０は、例えばＣＰＵを有しており、制御部４４の機能は、例えばＣＰＵがプログラムを実行することにより実現される。
【００２０】
以下、タッチパネルモニタ２２に表示される現在値マーカと履歴マーカとについて説明する。図３には、タッチパネルモニタ２２の表示例が示されている。タッチパネルモニタ２２の表示エリアは、数値表示エリア５０とマーカ表示エリア５６とを含む。
【００２１】
制御部４４は、デジタル値で表現された放射線の測定値を数値表示エリア５０内に表示させる。図３に示す例では、測定者によって操作ボタン（α）がタッチ操作されてアルファ線（α線）の表示指示が与えられており、アルファ線の瞬間測定値５２と最大値５４とが表示されている。また、操作ボタン（β）が測定者によってタッチ操作されると、ベータ線（β線）の瞬間測定値と最大値とが表示される。また、ガンマ線（γ線）の測定値がデジタル値で表示されてもよい。
【００２２】
制御部４４は、現在の測定値（瞬間測定値）を示す現在値マーカ６０、過去の測定値と現在の測定値との関係を示す履歴マーカ７０、及び、目盛８０の画像を、マーカ表示エリア５６内に表示させる。
【００２３】
目盛８０は放射線量の目盛であり、一例として、マーカ表示エリア５６内において横方向に延在している。図３に示す例では、目盛８０において左側ほど値が小さく、右側ほど値が大きい。一例として、目盛８０は０〜１００（ｍｉｎ−１）の範囲を示している。この目盛８０のレンジは、測定値に応じて変更される。制御部４４は、その目盛８０に沿って、瞬間測定値に対応する表示位置に現在値マーカ６０を表示させる。図３に示す例では、瞬間測定値は「７２」であり、その値に対応する表示位置に現在値マーカ６０が表示されている。瞬間測定値が変化すると、その変化に応じて、現在値マーカ６０の表示位置が左側又は右側に変化する。現在値マーカ６０は、瞬間測定値に応じて、目盛８０に沿って横方向へのスライド運動を行うことになる。現在値マーカ６０は、垂直方向（上下方向）に延びるライン状（棒状、針状）の形状を有するマーカである。なお、この形状は一例であり、現在値マーカ６０は、円形状や点状等の形状を有していてもよい。
【００２４】
履歴マーカ７０は、現在値マーカ６０を起点として表示される吹き流し状のマーカであり、垂直方向に並んで横方向に延びる複数の直線状のマーカ（水平ライン）によって構成されている。図３に示す例では、履歴マーカ７０は、一例として、３本の直線状のマーカによって構成されている。なお、この本数は一例であり、履歴マーカ７０は、１本又は複数本のマーカによって構成されていてもよい。また、履歴マーカ７０は曲線状のマーカであってもよい。履歴マーカ７０は、過去から現在に至る測定値の変化の方向と変化の程度とを示している。履歴マーカ７０は、測定値の変化の方向に従って、現在値マーカ６０の一方側及び他方側のうちの一方又は両方に表示される。例えば、過去の測定値に対して現在の測定値（瞬間測定値）が増加した場合、目盛８０において、現在値マーカ６０よりも測定値が小さい側の領域に履歴マーカ７０が表示される。図３に示す例では、目盛８０において左側ほど値が小さく、右側ほど値が大きい。それ故、測定値が増加した場合、履歴マーカ７０は、現在値マーカ６０の左側の領域に表示される。一方、過去の測定値に対して現在の測定値（瞬間測定値）が減少した場合、目盛８０において、現在値マーカ６０よりも測定値が大きい側の領域に履歴マーカ７０が表示される。つまり、履歴マーカ７０は、現在値マーカ６０の右側の領域に表示される。図３に示す例では、現在値マーカ６０の右側の領域に履歴マーカ７０が表示されているので、測定値が減少していることになる。また、履歴マーカ７０の長さは、過去一定時間内の測定値の変化量、つまり、過去の測定値と現在の測定値（瞬間測定値）との差、を示している。その長さが長いほど、変化量が大きいことになる。また、履歴マーカ７０の長さは、測定値の変化速度（単位時間当たりの測定値の変化量）を示していることになる。その長さが長いほど、変化速度（増加速度又は減少速度）が大きいことになる。履歴マーカ７０の具体的な表示処理については後で説明する。
【００２５】
タッチパネルモニタ２２には、操作ボタン（ＴＣ）や操作ボタン（Ｍ）等の各種の操作ボタンの画像が表示されている。操作ボタン（ＴＣ）は時定数を切り替えるためのボタンである。その操作ボタン（ＴＣ）が測定者によってタッチ操作されると、時定数が切り替えられる。操作ボタン（Ｍ）は測定されたデータをメモリに記憶させるためのボタンである。その操作ボタン（Ｍ）が測定者によってタッチ操作されると、データがメモリに記憶される。
【００２６】
図４から図８を参照して、履歴マーカの具体的な表示処理について説明する。図４には、測定された放射線量の棒グラフが模式的に示されている。横軸は時間であり、縦軸は測定値（放射線量）を示す。サーベイメータ１０においては、所定時間間隔で放射線が計数され、その所定時間間隔毎に測定値が得られる。各時間の測定値のデータは、本体ユニット２０のメモリ４６に記憶される。測定値Ｄ０〜Ｄ４は、その所定時間間隔で得られた測定値である。時点Ｔ０は現在の時点であり、時点Ｔ１〜Ｔ４は過去の時点である。時間軸上において左側ほど過去の時点を示している。図４に示す例では、時点Ｔ０〜Ｔ４の中で時点Ｔ４が最も古い時点であり、時点Ｔ４，Ｔ３，Ｔ２，Ｔ１，Ｔ０の順で、時間が進んでいる。測定値Ｄ０は、現在の時点Ｔ０で得られた測定値である。測定値Ｄ１〜Ｄ４は、それぞれ過去の時点Ｔ１〜Ｔ４で得られた測定値である。測定値Ｄ０〜Ｄ４の中で測定値Ｄ４が最も古い時点で得られた値である。一例として、所定時間間隔は０．５秒であり、０．５秒間隔で放射線が計数されて測定値が得られる。従って、測定値Ｄ０〜Ｄ４は、０．５秒間隔で得られた測定値である。より具体的に説明すると、測定値Ｄ１は測定値Ｄ０よりも０．５秒前に測定された値であり、測定値Ｄ２は測定値Ｄ１よりも０．５秒前に測定された値であり、測定値Ｄ３は測定値Ｄ２よりも０．５秒前に測定された値であり、測定値Ｄ４は測定値Ｄ３よりも０．５秒前に測定された値である。
【００２７】
本実施形態では、一例として、過去２秒分の測定値を利用して、履歴マーカが形成される。図４に示す例では、測定値Ｄ１〜Ｄ４を利用して履歴マーカが形成される。過去２秒分の測定値（測定値Ｄ１〜Ｄ４）のデータはメモリ４６に記憶されており、制御部４４は、そのデータを利用して履歴マーカを形成する。もちろん、測定の時間間隔は０．５秒以外の時間間隔であってもよいし、使用されるデータは過去２秒分のデータでなくてもよい。
【００２８】
制御部４４は、マーカ表示エリア５６内において、測定値Ｄ０を示す現在値マーカの表示位置と、過去の測定値を示していた過去の現在値マーカの表示位置との間に、それらのマーカを繋ぐ線状のマーカを表示させる。この線状のマーカが履歴マーカに相当する。このとき、制御部４４は、過去の測定値を示すマーカを表示せずに、現在の測定値Ｄ０を示す現在値マーカと履歴マーカとを表示する。
【００２９】
以下、図５から図８を参照して、履歴マーカの表示処理について詳しく説明する。
【００３０】
図５には、マーカ表示エリア５６の一部が示されている。ここでは、測定値が単調増加しているものとする。この場合、現在値マーカは、目盛８０の右方向（矢印Ｘ１の方向）に向かって移動するように表示される。現在値マーカ６００は、現在の時点Ｔ０の測定値Ｄ０に対応する表示位置に表示されている。破線で示されているマーカ６０１，６０２，６０３，６０４は、過去の測定値を示す現在値マーカであり、現在の時点Ｔ０においては表示されないマーカである。マーカ６０１は時点Ｔ１の測定値Ｄ１を示すマーカであり、マーカ６０２は時点Ｔ２の測定値Ｄ２を示すマーカであり、マーカ６０３は時点Ｔ３の測定値Ｄ３を示すマーカであり、マーカ６０４は時点Ｔ４の測定値Ｄ４を示すマーカである。時点Ｔ０〜Ｔ４の中で時点Ｔ４が最も古い時点であり、時点Ｔ４，Ｔ３，Ｔ２，Ｔ１，Ｔ０の順で、時間が進んでいる。また、測定値Ｄ０〜Ｄ４は、Ｄ０＞Ｄ１＞Ｄ２＞Ｄ３＞Ｄ４の関係を有するものとする。
【００３１】
制御部４４は、現在値マーカ６００とマーカ６０１〜６０４とを繋ぐ線状のマーカを形成する。測定値が単調増加している場合、結局のところ、最小値（測定値Ｄ４）を示すマーカ６０４と現在値マーカ６００とを結ぶ線状のマーカが、履歴マーカ７０Ａとして形成される。そして、現在値マーカ６００と履歴マーカ７０Ａとが、マーカ表示エリア５６内に表示される。測定値が単調に増加しているため、履歴マーカ７０Ａは、現在値マーカ６００の左側に表示される。履歴マーカ７０Ａの長さは、現在の測定値Ｄ０と最小の測定値Ｄ４との差に相当する。この履歴マーカ７０Ａの表示位置を参照することにより、測定者は、測定値が増加傾向であることを感覚的に把握することが可能となる。また、履歴マーカ７０Ａの長さを参照することにより、測定者は、過去一定時間内の測定値の変化量（増加量）を感覚的に把握することが可能となる。その長さが長いほど増加量が大きく、放射線量は不安定ということになる。
【００３２】
図６を参照して、別の例について説明する。図６には、マーカ表示エリア５６の一部が示されている。ここでは、測定値が単調減少しているものとする。この場合、現在値マーカは、目盛８０の左方向（矢印Ｘ２の方向）に向かって移動するように表示される。現在値マーカ６００は、現在の時点Ｔ０の測定値Ｄ０に対応する表示位置に表示されている。図５に示す例と同様に、マーカ６０１〜６０４は過去の測定値を示す現在値マーカであり、現在の時点Ｔ０においては表示されないマーカである。図６に示す例では、測定値Ｄ０〜Ｄ４は、Ｄ４＞Ｄ３＞Ｄ２＞Ｄ１＞Ｄ０の関係を有するものとする。
【００３３】
制御部４４は、現在値マーカ６００とマーカ６０１〜６０４とを繋ぐ線状のマーカを形成する。測定値が単調減少している場合、結局のところ、最大値（測定値Ｄ４）を示すマーカ６０４と現在値マーカ６００とを結ぶ線状のマーカが、履歴マーカ７０Ｂとして形成される。そして、現在値マーカ６００と履歴マーカ７０Ｂとが、マーカ表示エリア５６内に表示される。測定値が単調に減少しているため、履歴マーカ７０Ｂは、現在値マーカ６００の右側に表示される。その履歴マーカ７０Ｂの長さは、現在の測定値Ｄ０と最大の測定値Ｄ４との差に相当する。この履歴マーカ７０Ｂの表示位置を参照することにより、測定者は、測定値が減少傾向であることを感覚的に把握することが可能となる。また、履歴マーカ７０Ｂの長さを参照することにより、測定者は、過去一定時間内の測定値の変化量（減少量）を感覚的に把握することが可能となる。その長さが長いほど減少量が大きく、放射線量は不安定ということになる。
【００３４】
図７を参照して、更に別の例について説明する。図７には、マーカ表示エリア５６の一部が示されている。ここでは、測定値が上下に変動しているものとする。つまり、測定値が増減しているものとする。現在値マーカ６００は、現在の時点Ｔ０の測定値Ｄ０に対応する表示位置に表示されている。図５に示す例と同様に、マーカ６０１〜６０４は過去の測定値を示す現在値マーカであり、現在の時点Ｔ０においては表示されないマーカである。図７に示す例では、測定値Ｄ０〜Ｄ４は、Ｄ２＞Ｄ１＞Ｄ０＞Ｄ３＞Ｄ４の関係を有するものとする。すなわち、測定値は一旦増加し、その後、減少していることになる。この場合、現在値マーカは、一旦、目盛８０の右方向（矢印Ｘ１の方向）に向かって移動するように表示され、その後、左方向（矢印Ｘ２の方向）に向かって移動するように表示される。
【００３５】
制御部４４は、現在値マーカ６００とマーカ６０１〜６０４とを繋ぐ線状のマーカを形成する。測定値が上下に変動している場合、最小値（測定値Ｄ４）を示すマーカ６０４と現在値マーカ６００とを結ぶ線状のマーカが、履歴マーカ７０Ａとして形成され、更に、最大値（測定値Ｄ２）を示すマーカ６０２と現在値マーカ６００とを結ぶ線状のマーカが、履歴マーカ７０Ｂとして形成される。そして、現在値マーカ６００と履歴マーカ７０Ａ，７０Ｂとが、マーカ表示エリア５６内に表示される。測定値が上下に変動しているため、現在値マーカ６００の両側に履歴マーカが表示される。測定値の増加傾向を示す履歴マーカ７０Ａは、現在値マーカ６００の左側に表示され、測定値の減少傾向を示す履歴マーカ７０Ｂは、現在値マーカ６００の右側に表示される。履歴マーカ７０Ａの長さは、現在の測定値Ｄ０と最小値（測定値Ｄ４）との差に相当する。履歴マーカ７０Ｂの長さは、現在の測定値Ｄ０と最大値（測定値Ｄ２）との差に相当する。履歴マーカ７０Ａ，７０Ｂを参照することにより、測定者は、測定値が上下に変動している（増減している）ことを感覚的に把握することが可能となる。また、履歴マーカ７０Ａ，７０Ｂの長さを参照することにより、測定者は、過去一定時間内の測定値の変化量（増加量及び減少量）を感覚的に把握することが可能となる。各長さが長いほど増加量及び減少量が大きく、放射線量は不安定ということになる。
【００３６】
なお、制御部４４は、瞬間測定値（現在の測定値）と過去の測定値との差が所定値以下となる場合に、履歴マーカを表示しなくてもよい。例えば、瞬間測定値と過去の測定値との差が微小である場合には、履歴マーカは表示されない。この所定値は測定者によって任意の値に変更されてもよい。
【００３７】
図８には、放射線量とマーカの表示形態との関係が示されている。横軸は時間であり、縦軸は放射線量（瞬間測定値）を示す。符号９０で示すグラフは、測定値の時間変化を示している。測定値は、矢印９２で示すように時間経過と共に増加し、その後、矢印９４で示すように時間経過と共に減少している。その後、測定値は、矢印９６で示すように増減を繰り返し、その後、矢印９８で示すようにほぼ一定となっている。測定値がこのような特性を有する場合、測定値の増加区間（矢印９２で示す区間）では、現在値マーカ６０の左側に履歴マーカ７０Ａが表示され、測定値の減少区間（矢印９４で示す区間）では、現在値マーカ６０の右側に履歴マーカ７０Ｂが表示される。また、測定値が増減を繰り返している区間（矢印９６で示す区間）では、現在値マーカ６０の両側に履歴マーカ（履歴マーカ７０Ａ，７０Ｂ）が表示される。測定値がほぼ一定の区間（矢印９８で示す区間）では、測定値の変動が無い又は微小であるため、履歴マーカ７０Ａ，７０Ｂは表示されず、現在値マーカ６０のみが表示される。このように、過去から現在へ至る測定値の変化の方向に応じて、履歴マーカの表示位置が変更される。また、過去一定時間内の放射線量の変化量に応じて、履歴マーカ７０Ａ，７０Ｂの長さが変更される。
【００３８】
次に、図９を参照して、現在値マーカの表示位置と履歴マーカの表示位置との関係について説明する。現在値マーカと履歴マーカとの間には隙間（スペース）が形成されている。具体的には、左側に表示される履歴マーカ７０Ａと現在値マーカ６０との間には、所定画素数（ドット数）分の隙間７２Ａが形成されており、右側に表示される履歴マーカ７０Ｂと現在値マーカ６０との間には、所定画素数（ドット数）分の隙間７２Ｂが形成されている。隙間７２Ａ，７２Ｂは非表示領域である。例えば、１画素分の隙間７２Ａ，７２Ｂが形成される。もちろん、複数の画素分の隙間７２Ａ，７２Ｂが形成されてもよい。このように、隙間７２Ａ，７２Ｂを設けて現在値マーカ６０と履歴マーカ７０Ａ，７０Ｂとを分離して表示することにより、現在値マーカ６０が見やすくなり、マーカ全体の視認性が向上する。もちろん、隙間７２Ａ，７２Ｂを設けずに、現在値マーカ６０と履歴マーカ７０Ａ，７０Ｂとを接続して表示してもよい。
【００３９】
次に、マーカ表示エリア５６内の目盛８０のレンジが変化するときのマーカの表示例について説明する。本実施形態では、サーベイメータ１０はオートレンジ機能を備えており、測定値に応じて目盛８０のレンジが自動的に切り替えられる。図１０には、測定値が増加するときの表示例が示されている。図１０の（ａ）に示されている目盛８０Ａは、測定値が０〜１００の間のレンジを有する目盛であり、図１０の（ｂ）に示されている目盛８０Ｂは、測定値が０〜１０００の間のレンジを有する目盛である。目盛８０Ａから目盛８０Ｂへのレンジの変更は、測定値が所定値以上となった場合に自動的に実行される。レンジの変更は制御部４４によって実行される。例えば、測定値がレンジ最大値の９０％以上になった場合に、レンジの変更が実行される。具体的には、測定値が９０未満の場合には、目盛８０Ａが表示され、測定値が９０以上となった場合に、目盛８０Ａから目盛８０Ｂにレンジが変更される。このように、レンジ変更に適度なヒステリシスをもたせている。レンジ変更が実行される場合も、履歴マーカが表示される。測定値が単調増加している場合には、現在値マーカ６０の左側に、測定値の変化量に応じた長さを有する履歴マーカ７０Ａが表示される。
【００４０】
図１１には、測定値が減少するときの表示例が示されている。図１１の（ａ）には、０〜１０００のレンジを有する目盛８０Ｂが示されており、図１１の（ｂ）には、０〜１００のレンジを有する目盛８０Ａが示されている。目盛８０Ｂから目盛８０Ａへのレンジの変更は、測定値が所定値未満となった場合に自動的に実行される。このレンジの変更も制御部４４によって実行される。例えば、測定値がレンジ最大値の９％未満になった場合に、レンジの変更が実行される。具体的には、測定値が９０以上の場合には、目盛８０Ｂが表示され、測定値が９０未満となった場合に、目盛８０Ｂから目盛８０Ａにレンジが変更される。このように、レンジ変更に適度なヒステリシスをもたせている。測定値が単調減少している場合には、現在値マーカ６０の右側に、測定値の変化量に応じた長さを有する履歴マーカ７０Ｂが表示される。
【００４１】
次に、図１２から図１５を参照して、測定値とマーカの表示例について説明する。図１２から図１５には、瞬間測定値とマーカ（現在値マーカと履歴マーカ）との表示例が示されている。これらの図には、瞬間測定値とマーカとが時系列順に示されている。符号１００〜２３０で示す期間が示されており、符号１００〜２３０にかけて時間が進んでいるものする。
【００４２】
図１２には、符号１００〜１３８で示す期間における瞬間測定値とマーカとが示されている。符号１００で示す時点では、瞬間測定値は「７２ｍｉｎ−１」であり、０〜１００のレンジが表示されている。符号１００〜１０４で示す期間では、測定値は単調に減少していき、現在値マーカ６０の右側に履歴マーカ７０Ｂが表示されている。測定者は、履歴マーカ７０Ｂの表示位置によって、測定値が単調に減少していることを感覚的に把握することができる。また、過去一定時間内の測定値の変化量が、履歴マーカ７０Ｂの長さで表されている。符号１００で示す時点から符号１０４で示す時点にかけて、履歴マーカ７０Ｂの長さが徐々に長くなっている。つまり、測定値の変化速度（単位時間当たりの測定値の変化量）が徐々に大きくなっていることがわかる。測定者は、その長さや長さの変化を観察することにより、過去一定時間内の測定値の変化量や変化速度がどの程度なのか感覚的に把握することができる。
【００４３】
符号１０６で示す時点では、測定値が単調に増加していき、現在値マーカ６０の左側に履歴マーカ７０Ａが表示されている。また、レンジが０〜１０００のレンジに変更されている。符号１０８で示す時点では、履歴マーカ７０Ａの長さが急激に長くなっている。これを観察することにより、測定値が急激に増加したことが感覚的にわかる。符号１０８〜１３８で示す期間では、測定値は単調に増加していき、途中、レンジが０〜１０ｋ（１００００）に変更されている。符号１２０で示す時点以降、履歴マーカ７０Ａの長さが徐々に短くなっていき、符号１３８で示す時点においては、その長さがかなり短くなっている。つまり、符号１２０で示す時点以降では、測定値の変化速度が徐々に小さくなっていき、符号１３８で示す時点においては、変化速度がかなり小さくなっている。それ以降の測定値とマーカは、図１３に示されている。
【００４４】
図１３には、符号１４０〜１７８で示す期間における測定値とマーカとが示されている。符号１４０〜１４４で示す期間では、長さがかなり短い履歴マーカ７０Ａが表示されている。つまり、この期間では、測定値の変化速度がかなり小さくなっていることになる。そして、符号１４６〜１６６で示す期間においては、履歴マーカ７０Ａ，７０Ｂが表示されていない。この期間内においては、過去一定時間内の測定値の変化量が所定値未満又はゼロになっていることになる。つまり、放射線量が安定しているということになる。このタイミングで得られた測定値は、放射線量が安定しているときに得られた値といえる。測定者は、この期間におけるマーカを観察することにより、放射線量が安定していることを感覚的に把握することができる。符号１６８〜１７８で示す期間においては、測定値が単調に減少していき、現在値マーカ６０の右側に履歴マーカ７０Ｂが表示されている。それ以降の測定値とマーカは、図１４に示されている。
【００４５】
図１４には、符号１８０〜２１８で示す期間における測定値とマーカとが示されている。この期間においては、測定値が単調に減少している。履歴マーカ７０Ｂの長さを観察することにより、測定値の変化速度を把握することができる。
【００４６】
図１５には、符号２２０〜２３０で示す期間における測定値とマーカとが示されている。符号２２０で示す時点では、測定値が減少している。符号２２２，２２４で示す時点では、現在値マーカ６０の両側に履歴マーカ（履歴マーカ７０Ａ，７０Ｂ）が表示されている。つまり、符号２２２，２２４で示す時点では、測定値は増減を繰り返していることになる。測定値は、符号２２６で示す時点では増加しており、符号２２８で示す時点では増減を繰り返しており、符号２３０で示す時点では減少している。このように、符号２２２〜２３０で示す期間においては、放射線量が安定していないことになる。測定者は、この期間におけるマーカを観察することにより、放射線量が不安定であることを感覚的に把握することができる。
【００４７】
以上のように、本実施形態では、現在値マーカ６０が表示されるとともに、履歴マーカ７０Ａ，７０Ｂが付随的に表示される。測定者は、履歴マーカの表示位置を観察することにより、測定値の変化の方向（増加又は減少）を感覚的に把握することができ、履歴マーカの長さを観察することにより、過去一定時間内の測定値の変化量や変化速度を感覚的に把握することができる。本実施形態によると、測定者は、測定された放射線量が安定しているか否かを感覚的に把握することができる。
【００４８】
本実施形態では、測定値が変化している方向とは反対の方向に、履歴マーカ７０Ａ，７０Ｂが表示される。測定値が単調に増加している場合には、現在値マーカ６０は目盛８０に沿って右方向に移動するように表示され、現在値マーカ６０の左側に履歴マーカ７０Ａが表示される。測定値が単調に減少している場合には、現在値マーカ６０は目盛８０に沿って左方向に移動するように表示され、現在値マーカ６０の右側に履歴マーカ７０Ｂが表示される。このように、現在値マーカ６０の移動方向とは反対の方向に、履歴マーカ７０Ａ，７０Ｂが表示される。履歴マーカ７０Ａ，７０Ｂによって現在値マーカ６０の疾走感が表現されるので、測定者は、現在値マーカ６０の移動の様子を感覚的に把握することが可能となる。
【００４９】
次に、図１６を参照して変形例に係るマーカについて説明する。上記の実施形態では、現在値マーカ６０は、目盛８０に対して垂直方向に延在する形状を有している。変形例では、現在値マーカ６０Ａは、進行方向に対して傾斜した形状を有している。図１６に示す例では、測定値は単調に増加しているため、制御部４４は、右方向に傾斜した状態の現在値マーカ６０Ａを表示させる。測定値が単調に減少している場合には、制御部４４は、左方向に傾斜した状態の現在値マーカ６０Ａを表示させる。測定値が周期的に変動している場合、つまり、測定値が増減を繰り返している場合、制御部４４は、傾斜していない現在値マーカ６０を表示させてもよいし、過去の測定値群の中で直近の測定値の方向に傾斜した現在値マーカを表示させてもよい。現在値マーカを傾斜させることにより、より疾走感のある現在値マーカによって、測定値の変化を表現することが可能となる。
【符号の説明】
【００５０】
１０  サーベイメータ、１２  検出ユニット、２０  本体ユニット、２２  タッチパネルモニタ、６０，６００  現在値マーカ、７０，７０Ａ，７０Ｂ  履歴マーカ。
【要約】
【課題】放射線測定装置において、放射線測定値の変動を容易に把握できるようにする。
【解決手段】サーベイメータの表示部の数値表示エリア５０内には、デジタル値で表現された放射線の測定値（瞬間測定値）が表示される。マーカ表示エリア５６内には、放射線の測定値に応じて横方向にスライド運動する現在値マーカ６０が表示される。その現在値マーカ６０に付随して履歴マーカ７０が表示される。履歴マーカ７０は、過去から現在に至る測定値の変化の方向（増加方向、減少方向）と変化の程度とを示すマーカであり、現在値マーカ６０の一方側及び他方側のうちの一方又は両方に表示される。履歴マーカ７０の長さは、過去一定時間内の測定値の変化量を示している。
【選択図】図３【図２】
0005893785.tif 000002
【図３】
0005893785.tif 000003
【図４】
0005893785.tif 000004
【図５】
0005893785.tif 000005
【図６】
0005893785.tif 000006
【図７】
0005893785.tif 000007
【図８】
0005893785.tif 000008
【図９】
0005893785.tif 000009
【図１０】
0005893785.tif 000010
【図１１】
0005893785.tif 000011
【図１２】
0005893785.tif 000012
【図１３】
0005893785.tif 000013
【図１４】
0005893785.tif 000014
【図１５】
0005893785.tif 000015
【図１６】
0005893785.tif 000016
【図１】
0005893785.tif 000017